(57)【要約】【課題】  集積紙葉類の施封後、湾曲状態から平坦な状態に戻す際に、紙葉類の端縁部を帯に巻き込んで傷付けてしまうことのないようにする。【解決手段】  集積紙葉類２６の上面側略中央部を集積方向に押し込むスイーパー２４と、このスイーパー２４によって押し込まれる集積紙葉類２６の下面側両端部を支持面３０ａ〜３０ｃによって支持することにより集積紙葉類２６を湾曲させる支持部材２９と、湾曲された集積紙葉類２６の上面側両端部を支持面３０ａ〜３０ｃ側に向かって押圧して集積方向と直交する方向に対し平行な状態にするクランパ４０と、このクランパ４０によって平行な状態にされた集積紙葉類２６の両端部に交差するように帯２１を掛け渡して施封する帯巻付機構３４とを具備する。【選択図】      図９
2007284079.tif 000002
【特許請求の範囲】
【請求項１】
集積紙葉類の集積方向一面側の略中央部を集積方向に押し込む押込手段と、
この押込手段によって押し込まれる前記集積紙葉類の集積方向他面側の両端部を支持面によって支持することにより前記集積紙葉類を湾曲させる支持手段と、
前記湾曲された集積紙葉類の両端部を前記集積方向一面側から前記支持面側に向かって押圧することにより前記集積方向と直交する方向に対し平行な状態にする押圧手段と、
この押圧手段によって平行な状態にされた前記集積紙葉類の両端部に交差するように帯を掛け渡して施封する帯巻付手段と、
を具備することを特徴とする紙葉類施封装置。
【請求項２】
前記押圧手段は、前記湾曲された集積紙葉類の両端部の厚さ寸法の差に応じて可動し、前記集積紙葉類の両端部を押圧することを特徴とする請求項１記載の紙葉類施封装置。
【請求項３】
前記押圧手段は、第１及び第２の押圧部に分割され、前記湾曲された集積紙葉類の一端部側を前記第１の押圧部、前記湾曲された集積紙葉類の他端部側を前記第２の押圧部によりそれぞれ独立して押圧することを特徴とする請求項１記載の紙葉類施封装置。
【請求項４】
前記支持手段は、前記湾曲された集積紙葉類の両端部の厚さ寸法の差に応じて前記押圧手段の押圧方向に可動することを特徴とする請求項１記載の紙葉類施封装置。
【請求項５】
前記押圧手段に、前記押込手段の反押込部側を嵌入させる凹部を備えたことを特徴とする請求項１記載の紙葉類施封装置。
【発明の詳細な説明】
【技術分野】
【０００１】
本発明は、例えば、有価証券などの紙葉類を所定枚数集積してなる集積紙葉類を帯で施封する紙葉類施封装置に関する。
【背景技術】
【０００２】
この種の紙葉類施封装置には、集積紙葉類の上面側の略中央部を押込手段によって集積方向に押し込み、この押し込まれる集積紙葉類の下面側の両端部を支持手段によって支持することにより図１５（ａ）に示すように、集積紙葉類を湾曲させ、この湾曲された集積紙葉類１００に帯１０１を巻き付けて施封し、この施封後、湾曲状態の集積紙葉類１００を図１５（ｂ）に示すように、平坦な状態に戻すものが知られている（例えば、特許文献１参照。）。
【特許文献１】特開２００２−２７４５０８号公報  （第６頁、図２１）
【発明の開示】
【発明が解決しようとする課題】
【０００３】
しかしながら、従来においては、単に、集積紙葉類１００を湾曲させた状態で帯１０１を巻き付けて施封していたため、集積紙葉類１００を湾曲状態から平坦な状態に戻すと、集積紙葉類１００の上面端が帯１０１に巻き込まれて折り曲げられ、図１５（ｃ）に示すように紙葉類Ｐを傷付けてしまうという問題があった。
【０００４】
本発明は上記事情に着目してなされたもので、その目的とするところは、集積紙葉類の施封後、集積紙葉類を湾曲状態から平坦な状態に戻す際に、紙葉類の側端縁を帯に巻き込んで傷付けてしまうことのないようにした紙葉類施封装置を提供することにある。
【課題を解決するための手段】
【０００５】
上記課題を解決するため、請求項１記載のものは、集積紙葉類の集積方向一面側の略中央部を集積方向に押し込む押込手段と、この押込手段によって押し込まれる前記集積紙葉類の集積方向他面側の両端部を支持面によって支持することにより前記集積紙葉類を湾曲させる支持手段と、前記湾曲された集積紙葉類の両端部を前記集積方向一面側から前記支持面側に向かって押圧することにより前記集積方向と直交する方向に対し平行な状態にする押圧手段と、この押圧手段によって平行な状態にされた前記集積紙葉類の両端部に交差するように帯を掛け渡して施封する帯巻付手段とを具備する。
【発明の効果】
【０００６】
本発明によれば、集積紙葉類を湾曲状態から平坦な状態に戻す際に、紙葉類の側端縁を帯に巻き込んで傷付けてしまうことがなく、良好な施封状態を保つことができる。
【発明を実施するための最良の形態】
【０００７】
以下、図面を参照して本発明の実施の形態を詳細に説明する。  
【実施例１】
【０００８】
図１は本発明の実施例１の紙葉類施封装置を組み込んだ紙葉類処理装置を示す概略的構成図である。  
紙葉類処理装置１は、所定枚数、例えば１０００枚の紙葉類を一単位として処理可能に構成され、その一端部側には１０００枚の紙葉類を積層状態で一括して順次自動投入する投入装置２が接続されている。
【０００９】
紙葉類処理装置１は、投入された紙葉類を１枚づつ取り出す取出部４、取り出された紙葉類を搬送する搬送路７を備えている。また、搬送された紙葉類から模様、寸法、搬送ピッチ等の情報を検出して紙葉類の種類を判別する判別部８、判別結果に応じて紙葉類の搬送方向を切り替える切替部１０、切り替えられた紙葉類を集積する集積部１２、集積された紙葉類を所定枚数づつ施封する施封部１４を備えている。
【００１０】
取出部４の近傍には供給装置１１が設けられ、この供給装置１１は投入装置２から投入された紙葉類を受け取って取出部４へ供給する。取出部４には吸着回転ローラ４ａが設けられ、この吸着回転ローラ４ａは、紙葉類Ｐを１枚づつ所定のピッチで取り出して搬送装置６へ受け渡す。搬送装置６は、所定の搬送路７に沿って配設された複数の搬送ベルト、駆動プーリ、駆動モータ等によって構成されている。
【００１１】
判別部８は、搬送中の紙葉類の重ね取りを検知する重ね取り検知部、紙葉類に付された模様を読み取る読取装置、紙葉類の枚数を計数する計数装置等を備えて構成され、搬送路７に沿って順に配設されている。
【００１２】
判別部８において計数、模様読み取り、及び長さ検出に基づいて印刷品質が判別された紙葉類は集積部１２に集積される。
【００１３】
切替部１０は搬送路７に配設された３つの振り分けゲート１０ａ、１０ｂ、１０ｃを有し、各ゲートを選択的に切換えることにより紙葉類の搬送路を切換え、各紙葉類をその種類に応じた集積部１２へ導く。
【００１４】
集積部１２は、少なくとも２つの集積装置１２ａ、１２ｂを備えている。また、施封部１４は、集積装置１２ａ、１２ｂの下方部にそれぞれ配設された２つの把施封装置１４ａ、１４ｂと束施封部１５を備えている。
【００１５】
図２は集積装置１２ａ〜１２ｂ及び把施封装置１４ａ〜１４ｂを示す正面図である。  
集積装置１２ａ〜１２ｂは、搬送されてくる紙葉類を羽根１６ａ間に導入させて案内する羽根車１６を備え、この羽根車１６によって案内されてくる紙葉類Ｐはその先端部が掻取板１７に当接することにより羽根１６ａ間から掻出されて落下されるようになっている。羽根車１６の下方部には、シャッタ１８が開閉自在に設けられ、羽根１６ａ間から掻出される紙葉類Ｐはシャッタ１８上に落下されて所定枚数（例えば１００枚）集積されるようになっている。
【００１６】
把施封装置１４ａ〜１４ｂは、レシーバ２０を回動自在に備え、このレシーバ２０は上記したシャッタ１８の下方部に設けられている。レシーバ２０上には図示しない供給機構によって所定長さに切断された帯２１が紙葉類Ｐの長手方向に対して直交する方向に沿って供給されるようになっている。帯２１の一面側には加熱されることにより溶解して接着力を発生する接着剤が塗布されている。また、レシーバ２０の上部側には押込手段としてのスイーパー２４が回動自在に設けられている。
【００１７】
上記したシャッタ１８上に紙葉類Ｐが所定枚数集積されると、シャッタ１８が開放されて図３に示すように、集積紙葉類２６がレシーバ２０上に落下される。そして、この状態からスイーパー２４が下方へ回動される。これにより、レシーバ２０上の帯２１及び集積紙葉類２６がレシーバ２０とスイーパー２４とによって挟持されて下方の施封位置２７へと移送するようになっている。
【００１８】
図４は施封位置２７に回動されたレシーバ２０とスイーパー２４を示す斜視図である。
【００１９】
この施封位置２７には図５にも拡大して示すように所定間隔を存して支持手段としての一対の支持部材２９が対向配置されている。この支持部材２９は起立壁３０を有し、この起立壁３０の上面部が支持面３０ａ〜３０ｃとなっており、図６に示すように集積紙葉類２６の下面両端部を支持するようになっている。集積紙葉類２６はその下面両端部が支持部材２９の支持面３０ａ〜３０ｃによって支持された状態でその中央部がスイーパー２４によって下方に押し下げられることにより湾曲されるようになっている。
【００２０】
また、レシーバ２０は基板部２０ａを有し、この基板部２０ａの両端部には所定間隔を存して受け片２０ｂ，２０ｃがそれぞれ取り付けられている。受け片２０ｂ，２０ｃはレシーバ２０の基板部２０ａ上に落下載置される集積紙葉類２６が基板部２０ａから落下することのないように集積紙葉類２６を受け止めるものである。
【００２１】
この受け片２０ｂ，２０ｃは支持部材２９の起立壁３０に向かって延設されているため、このままの状態では施封位置２７への移動時に支持部材２９の起立壁３０の上面部に衝突してしまう。
【００２２】
そこで、支持部材２９の起立壁３０にはその上面部から下方に向かって切欠部３１ａ、３１ｂがそれぞれ形成され、これら切欠部３１ａ、３１ｂ内に受け片２０ｂ，２０ｃの先端部が入り込んでその衝突が防止されるようになっている。
【００２３】
ところで、上記した一対の支持部材２９は、図５に示す駆動機構３２によって互いに接離する方向（集積紙葉類２６の幅方向）、及び上下方向（集積紙葉類２６の集積方向）に移動されるようになっている。この支持部材２９の位置は、集積紙葉類２６の幅寸法の大きさや、曲げ剛性に応じて調整される。
【００２４】
集積紙葉類２６の湾曲形状は、スイーパー２４の位置、及び一対の支持部材２９の位置によって決定され、集積紙葉類２６の湾曲を大きくした場合には、施封後における帯２１の締め付け力を大きくすることができるようになっている。
【００２５】
図７（ａ）は、一対の支持部材２９を互いに接近する方向に移動させて両者間の間隔を狭くするとともに、高い位置に上昇させて集積紙葉類２６を支持した状態を示し、この場合には、集積紙葉類２６の湾曲量は大となる。
【００２６】
図７（ｂ）は、一対の支持部材２９を互いに接近する方向に移動させて両者間の間隔を狭くするとともに、低い位置に下降させて集積紙葉類２６を支持した状態を示し、この場合には、集積紙葉類２６の湾曲量は小となる。
【００２７】
図７（ｃ）は、一対の支持部材２９を互いに離間する方向に移動させて両者間の間隔を広くするとともに、高い位置に上昇させて集積紙葉類２６を支持した状態を示し、この場合には、集積紙葉類２６の湾曲量は、中程度になる。
【００２８】
図８は把施封装置１４ａ〜１４ｃの帯巻付手段としての帯巻付機構３４を示す構成図である。
【００２９】
帯巻付機構３４は、レシーバ２０の下部側に一対の折曲部材３５，３６、及び第２の折曲手段３７を配設するとともに、レシーバ２０の斜め上方に接着手段３８、さらに押圧手段としてのクランパ４０を設けている。
【００３０】
クランパ４０は取付ケース４１内に固定的に取り付けられ、図示しない駆動機構により待機位置と押圧位置との間で移動されるようになっている。即ち、クランパ４０は、集積紙葉類２６が施封位置２７に移動されて支持部材２９によりその下面側の両端部が押し上げられて湾曲されると、集積紙葉類２６の上面側に移動される。そして、この移動後、クランパ４０は、下降して集積紙葉類２６の上面側の両端部を支持部材２９の支持面３０ａ〜３０ｃに向かって押圧して集積紙葉類２６の集積方向と直交する方向に対し平行な状態（以下、水平な状態という）にするようになっている。
【００３１】
また、クランパ４０の下面側の略中央部には凹部４０ａが形成され、集積紙葉類２６の上面側の両端部を押し付ける際には、スイーパー２４の上面部側を凹部４０ａ内に嵌入させることによりスイーパー２４との衝突を回避できるようになっている。
【００３２】
次に、図９〜図１１を参照して集積紙葉類２６の施封動作について説明する。
【００３３】
まず、帯２１と集積紙葉類２６がレシーバ２０とスイーパー２４とによって挟持されて下方に回動されて施封位置２７に移送されると、図９（ａ）に示すように集積紙葉類２６の下面両端部が支持部材２９に当接されるとともに、集積紙葉類２６の上面中央部が下方に押し下げられて集積紙葉類２６が湾曲状に変形される。
【００３４】
このように集積紙葉類２６が湾曲されると、一対の折曲部材３５，３６が図示しない駆動機構により、斜め上方に向かって上昇されて帯２１の両端部を押し上げる。ついで、図９（ｂ）に示すように、集積紙葉類２６の上面両端部がクランパ４０によって押し下げられ、これにより、集積紙葉類２６の両端部が支持部材２９の支持面３０ａ〜３０ｃに押し付けられ、水平な状態にされる。
【００３５】
こののち、図９（ｃ）に示すように、一対の折曲部材３５，３６により帯２１の両端部が集積紙葉類２６の両側面部に沿って折り曲げられて立ち上げられる。ついで、第２の折曲手段３７が図示しない駆動機構により上昇されたのち、図１０（ａ）に示すように、集積紙葉類２６側に向かって移動して帯２１の一端部側２１ａをその中途部から集積紙葉類２６の上面部側に向かって折り曲げる。
【００３６】
このように、帯２１の一端部側２１ａを折り曲げたのち、図１０（ｂ）に示すように、接着手段３８が図示しない駆動機構によって集積紙葉類２６側に向かって移動されて、帯２１の他端部側２１ｂを集積紙葉類２６の上面部側に向かって折り曲げ、既に折り曲げられている帯２１の一端部側２１ａ上に重ね合わせて加熱する。これにより、帯２１の両端部が接着されて集積紙葉類２６が施封されて紙葉類把となる。
【００３７】
このようにして集積紙葉類２６が施封されたのち、接着手段３８、クランパ４０、一対の折曲部材３５，３６、及び第２の折曲手段３７が初期位置へと復帰される。そして、この復帰後、プッシャー（図示しない）によって紙葉類把４４の長手方向の端面が押し出されて図１１（ａ）に示すように排出され、ついで、湾曲状態の紙葉類把４４が図１１（ｂ）に示すように、平坦になるように戻されることになる。
【００３８】
上記したように、この実施の形態によれば、一対の支持部材２９により押し上げられて湾曲された集積紙葉類２６の上面側の両端部をクランパ４０によって支持部材２９の支持面３０ａ〜３０ｃに向かって押圧して水平な状態にし、この水平な状態にされた両端部に交差するように帯２１を掛け渡して集積紙葉類２６を施封するため、施封後、湾曲状態の集積紙葉類２６を平坦な状態に戻すときに、集積紙葉類２６の上面側の両端縁が帯２１に巻き込まれて折れることがなく、良好な施封状態を得ることができる。
【００３９】
また、一対の支持部材２９を互いに接離する方向、及び上下方向に移動自在とするため、集積紙葉類２６の幅寸法、剛性等に応じて一対の支持部材２９間の距離、高さを可変することにより、その湾曲形状を任意に変更することが可能となる。
【実施例２】
【００４０】
図１２は本発明の実施例２に係わるクランパ４５を示すものである。  
なお、上記実施例１で示した部分と同一部分については、同一番号を付してその説明を省略する。
【００４１】
上記した実施例１では、取付ケース４１にクランパ４０を固定的に取り付けたが、この第２の実施例では、クランパ４５を取付ケース４６内に支軸４７を介して回動自在に取り付け、クランパ４５の上面両端部をバネ材４８，４９によって弾性的に保持している。
【００４２】
クランパ４５は集積紙葉類２６の上面側の両端部を押し下げて支持部材２９の支持面３０ａ〜３０ｃに押し付けるが、このとき、集積紙葉類２６の両端部の厚さ寸法に差が有る場合、クランパ４５が固定されていると、集積紙葉類２６の厚さ寸法を大とする一端部側は押し下げることはできるが、集積紙葉類２６の厚さ寸法を小とする他端部側は押し下げることができなくなる。
【００４３】
しかしながら、この実施例２では、集積紙葉類２６の両端部の厚さ寸法の差に応じてバネ材４８，４９が圧縮してクランパ４５が所定角度θ回動する。従って、集積紙葉類２６の両端部を確実に押し下げて水平な状態にすることが可能となる。
【実施例３】
【００４４】
図１３は本発明の実施例３に係わるクランパ５１を示すものである。  
なお、上記実施例１で示した部分と同一部分については、同一番号を付してその説明を省略する。
【００４５】
このクランパ５１は第１の押圧部としての第１のクランパ部５１ａと第２の押圧部としての第２のクランパ部５１ｂに２分割され、これら第１及び第２のクランパ部５１ａ，５１ｂは、取付ケース５４にバネ材５２ａ，５２ｂによって弾性的に保持されている。
【００４６】
第１及び第２のクランパ部５１ａ，５１ｂは、下降することにより、集積紙葉類２６の両端部をその上面側から下方に押し付けるが、このとき、集積紙葉類２６の両端部の厚さに寸法差があると、その寸法差ｈに応じてバネ材５２ａ、５２ｂが圧縮される。従って、第１及び第２のクランパ部５１ａ，５１ｂにより集積紙葉類２６の両端部を確実に押圧することができ、水平な状態にすることが可能となる。
【実施例４】
【００４７】
図１４は本発明の実施例４に係わる支持部材２９の取付構造を示すものである。  
なお、上記実施例１で示した部分と同一部分については、同一番号を付してその説明を省略する。
【００４８】
上記した実施例１では、支持部材２９を固定的に配設したが、この実施例２では、支持部材２９をバネ材６０によって弾性的に上下動自在に支持している。
【００４９】
集積紙葉類２６はその両端部がクランパ４０によって上面側から押し下げられるが、集積紙葉類２６の両端部に厚さ寸法の差がある場合には、その寸法差ｈに基づいてバネ材６０が圧縮される。従って、クランパ４０により集積紙葉類２６の両端部を確実に押し下げて水平な状態にすることが可能となる。
【００５０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００５１】
【図１】本発明の実施例１に係わる紙葉類処理装置を概略的に示す正面図。
【図２】図１の紙葉類処理装置に設けられる集積装置及び施封装置を示す正面図。
【図３】図２の集積装置に集積された積層紙葉類が施封位置に移動された状態を示す図。
【図４】図２の施封装置を構成するレシーバ、スィーパ及び支持部材を示す斜視図。
【図５】図４のレシーバ及び支持部材を拡大して示す斜視図。
【図６】図５の支持部材によって支持される集積紙葉類を示す図。
【図７】図６の支持部材の移動状態を示すもので、（ａ）は、支持部材間の距離が狭く、高い位置に移動された状態を示し、（ｂ）は、支持部材間の距離が狭く、低い位置に移動された状態を示し、（ｃ）は、支持部材間の距離が広く、高い位置に移動された状態を示す図。
【図８】図２の施封装置を構成する帯折曲機構を示す図。
【図９】図８の帯折曲機構による帯折り曲げ動作を示す図。
【図１０】図８の帯折曲機構による帯折り曲げ動作を示す図。
【図１１】図２の施封装置から送り出された紙葉類把が湾曲状態から平坦な状態に戻された状態を示す図。
【図１２】本発明の実施例２に係わるクランパを示す図。
【図１３】本発明の実施例３に係わるクランパを示す図。
【図１４】本発明の実施例４に係わる支持部材の取付構造を示す図。
【図１５】従来の装置によって施封された紙葉類把を湾曲状態から平坦な状態に戻したとき、紙葉類の側端緑部が帯に巻き込まれて折れ曲がった状態を示す図。
【符号の説明】
【００５２】
２１…帯、２４…スィーパ（押込手段）、２６…集積紙葉類、２９…支持部材（支持手段）、３０ａ〜３０ｃ…支持面、３４…帯巻付機構（帯巻付手段）、４０，４５、５１…クランパ（押圧手段）、５１ａ…第１の押圧部、５１ｂ…第２の押圧部，４０ａ…凹部。
【図１】
2007284079.tif 000003
【図２】
2007284079.tif 000004
【図３】
2007284079.tif 000005
【図４】
2007284079.tif 000006
【図５】
2007284079.tif 000007
【図６】
2007284079.tif 000008
【図７】
2007284079.tif 000009
【図８】
2007284079.tif 000010
【図９】
2007284079.tif 000011
【図１０】
2007284079.tif 000012
【図１１】
2007284079.tif 000013
【図１２】
2007284079.tif 000014
【図１３】
2007284079.tif 000015
【図１４】
2007284079.tif 000016
【図１５】
2007284079.tif 000017